(57)【特許請求の範囲】
【請求項１】
ディスクに記録した映像データの番地が記録される複数の管理トラックの中から最後に記録した映像データの最終記録番地を検索して次に記録する映像データの番地を特定し、この特定した番地に映像データを記録するディスク装置において、
前記複数の管理トラックを所定数の管理トラックごとに分割したグループとして認識し、映像データの番地の記録指示を受けるとグループ内の管理トラックの上書き回数が設定回数に達するまでは同一グループに番地を記録し、最終記録番地の検索指示を受けると記録途中のグループを割り出しこのグループから前記最終記録番地を検索する
最終番地制御回路
を設けたディスク装置。
【請求項２】
最終番地制御回路を、ｍ本の管理トラックをｈ本の管理トラックごとに分割したｉ（ｉ＝ｍ／ｈ）個のグループとして認識し、映像データの番地の記録指示を受けると、グループ内のｈ本全ての管理トラックの記録回数が設定回数ｋに達するまでは同一グループに番地を記録しこの設定回数ｋに達すると次のグループに番地を記録し、最終記録番地の検索指示を受けると、特定のグループの管理トラックを読み出し、番地が記録されているときには次のグループの管理トラックを読み出し、番地が記録されていないときには前のグループの管理トラックを読み出すようにして最終記録番地を含むグループを割り出し、この割り出したグループから最終記録番地を検索するよう構成した請求項１記載のディスク装置。
【発明の詳細な説明】
【０００１】
【発明の属する技術分野】
本発明は、記録媒体としてのディスクに映像データを記録再生するディスク装置に関するものである。
【０００２】
【従来の技術】
従来のディスク装置としては、例えば、医療用画像ファイリングに使用されているものがあり、患者を診断した静止画像情報と、その患者名や診断日時などの映像情報とを合せて書き換え可能なディスクに記録し、また、このディスクに記録したデータを再生するものがある。
【０００３】
このディスク装置は、図６に示すように、ディスク１を回転させるモータ２と、ヘッド３と、サーボ回路４と、記録再生回路５と、メモリ回路６と、映像情報回路７と、ＡＤコンバータ８と、ＤＡコンバータ９と、ビデオ混合回路１０と、最終番地制御部１１とで構成されている。
【０００４】
このディスク装置に用いられる書き換え可能なディスク１としては、例えば、１回だけ書き込める追記型光ディスク（Write  Once  Optical  Disk  ）、複数回にわたって書き換えれる光磁気ディスク（Magneto  Optical  Disk）や相変化光ディスク（Phase  Change  Re-writable  Optical  Disk  ）などがある。これらのディスク１には、図７に示すように、映像データを記録する映像トラック領域２１と、この映像データをディスク１の上のどの番地（アドレス）に記録したのかを記録する管理トラック領域２２とが設定されている。例えば、図７（ａ）ではディスク１の外周側に管理トラック領域２２が設定され、図７（ｂ）ではディスク１の内周側に管理トラック領域２２が設定され、図７（ｃ）ではディスク１の外周側と内周側とに管理トラック領域２２が設定されている。図７（ａ）に示すディスク１の映像トラック領域２１には、図８に示すように、第１のトラックから第ｎのトラックを有し、管理トラック領域２２には第ｎ＋１のトラックから第ｎ＋ｍのトラックを有している。
【０００５】
図６に示すように、モータ２はディスク１を回転させるものであり、ヘッド３はディスク１に対して映像データなどを記録し再生するものであり、サーボ回路４はヘッド３をトラック制御するものである。ＡＤコンバータ８は、ビデオ入力信号をアナログからデジタルに変換して出力するものである。
【０００６】
メモリ回路６は、映像メモリ取り込み時にはＡＤコンバータ８からのデジタルビデオ信号を記憶し、ディスク記録時には記憶しているデジタルビデオ信号を記録再生回路５に出力し、ディスク再生時には記録再生回路５からのデジタルビデオ信号を記憶し、映像メモリ再生時には記憶しているデジタルビデオ信号をＤＡコンバータ９に出力するものである。
【０００７】
映像情報回路７は、ディスク記録時には記録しようとする映像データのタイトルや日時や患者名などの映像情報を記録再生回路５に出力し、映像メモリ再生時には記録再生回路５でディスク１から読み出された映像情報をビデオ混合回路１０に出力するものである。
【０００８】
記録再生回路５は、ディスク記録時には、映像データとしてのメモリ回路６からデジタルビデオ信号と、映像情報回路７からの映像情報と、最終番地制御部１１からの最終記録番地とをディスク１に記録するようヘッド３に出力し、ディスク再生時には、ヘッド３で読み出されたディスク１のデジタルビデオ信号と映像情報と最終記録番地とを再生し、デジタルビデオ信号をメモリ回路６に、映像情報を映像情報回路７に、最終記録番地を最終番地制御部１１に出力するものである。
【０００９】
ＤＡコンバータ９は、メモリ回路６からのデジタルビデオ信号をアナログビデオ信号に変換して出力するものである。ビデオ混合回路１０は、ＤＡコンバータ９からのアナログビデオ信号と映像情報回路７からの映像情報とを混合して出力するものである。最終番地制御部１１は、ディスク１の管理トラック領域２２の複数の管理トラックから最終記録番地を検索し、記録しようとする映像データの番地を特定するものである。
【００１０】
ここで、このディスク装置で映像データを記録する動作を具体的に説明する。管理トラック領域２２が設定されていない未記録のディスク１を挿入すると、管理トラック領域２２を認識することができないので、このディスク１を新品のディスク１と認識し、例えば図７（ａ），図８に示すように、このディスク１の外周側に複数の管理トラックで構成される管理トラック領域２２を割り当てる。ここでは、図９に示すように、管理トラック領域２２に１５本の管理トラックが割り当てられているものとする。
【００１１】
映像データを記録するときには、図９に示すように、１５本の管理トラックを第１の管理トラックから第１５の管理トラックまでトラック順に読み出してこの第１〜第１５の管理トラックのうちで最大の番地（最後に記録した映像データの最終記録番地）を検索し、この最終記録番地の次の番地を次に映像データを記録する番地として特定するが、例えば、１枚目の映像データを記録するときは、１５本全ての管理トラックを読み出しても番地を示すアドレス番号が記録されていないので、映像トラック領域２１の最初の番地であるアドレス番号「１」にその１枚目の映像データを記録し、管理トラック領域２２の第１の管理トラックにアドレス番号「１」と記録する。
【００１２】
次に、２枚目の映像データを記録するときは、前述と同様に、１５本の管理トラックをトラック順に読み出して第１の管理トラックに記録したアドレス番号「１」が最大であるので、第１の管理トラックに記録したアドレス番号「１」の次のアドレスであるアドレス番号「２」を２枚目の映像データを記録する番地として特定し、映像トラック領域のアドレス番号「２」に２枚目のデータを記録し、第２の管理トラックにアドレス番号「２」を記録する。
【００１３】
例えば、第１〜第１５の管理トラックの全てにアドレス番号が一通り記録された後に、１６枚目の映像データが映像トラック領域２１のアドレス番号「１６」に記録されると、図９に示すように、第１の管理トラックに記録したアドレス番号「１」に替えてアドレス番号「１６」をこの第１の管理トラックに上書きして記録する。
【００１４】
また、このディスクに６万枚の映像データを記録することができるとすると、６万枚目の映像データを映像トラック領域２１のアドレス番号「６００００」に記録すると、管理トラックの第１５の管理トラックに記録したアドレス番号「５９９８５」に替えてこの第１５の管理トラックにはアドレス番号「６００００」と記録する。
【００１５】
このように映像データを記録するたびに、記録した映像データのアドレス番号をトラック順に１トラックシフトさせて管理トラックに記録している。
【００１６】
【発明が解決しようとする課題】
しかしながら、従来のディスク装置では、ディスク１を挿入すると、図９に示すように、第１〜第１５の管理トラックをトラック順に全て読み出し最も大きなアドレス番号を最終記録番地として認識するので、ディスク１を挿入してから記録可能状態となるまでの立ち上がり時間が長いという問題がある。具体的には、管理トラックの１トラック当りの認識時間を１秒とすると、全ての管理トラックにアドレス番号が記録されている場合では、１５本全ての管理トラックのアドレス番号を読み出して比較するので、このディスク装置の立ち上がり時間は、１５秒もかかってしまうという問題がある。
【００１７】
また、書き換え可能なディスク１には、ディスク１の記録許容回数ｊがあり、その記録許容回数ｊを超えるとディスク１が破綻してしまう。具体的には、相変化光ディスクの記録許容回数ｊは１０万回であり、この相変化光ディスクに６万枚の映像データが記録されると、１管理トラック当りのアドレス番号の記録回数は４千回となり、このディスク１に６万枚のデータを記録することを２５回繰り返して上書きすると１管理トラック当りの記録回数は４０００×２５＝１０万となりディスク１の記録許容回数ｊに達してしまう。このディスク１の記録許容回数ｊに対するマージンを十分に得るために管理トラックを増やすことが考えられるが、管理トラックを増やすとさらに立ち上り時間が増加してしまうことになる。
【００１８】
また、管理トラック領域２２は、図７に示すように、ディスク１の内周や外周に割り当てられており、図７（ａ）に示すように管理トラック領域２２が内周に設定されている場合では記録再生条件が限界に近いところにあり、図７（ｂ）に示すように管理トラック領域２２が外周に設定されている場合ではディスク１の成形歪みが大きくサーボが不安定になり易い。これらの理由により、図７に示す内外周では管理トラックの読み取りエラーが発生し易く、特に医療用に本ディスク装置を用いた場合では、この読み取りエラーによって、患者を診察した記録済みの映像データが読み出せなかったり、患者を診察した記録済みの映像データに誤って上書き記録してしまうことがあり、信頼性を向上させる必要がある。
【００１９】
また、映像データを１枚記録する度にその記録した映像データの番地を管理トラックに記録するので、映像データを記録する映像トラックと管理トラックとが離れた位置関係にあるとシーク時間が長くかかり、動画記録できないという問題がある。
【００２０】
本発明は、立ち上がり時間の短縮化を実現し管理トラックの読み取りエラーの発生を低減したディスク装置を提供することを目的とする。
【００２１】
【課題を解決するための手段】
本発明のディスク装置は、複数の管理トラックを所定数の管理トラックごとに分割したグループとして認識し、映像データの番地の記録指示を受けるとグループ内の管理トラックの上書き回数が設定回数に達するまでは同一グループに番地を記録し、最終記録番地の検索指示を受けると記録途中のグループを割り出しこのグループから前記最終記録番地を検索する最終番地制御回路を設けたものである。
【００２２】
本発明によると、立ち上がり時間の短縮化を実現させたディスク装置を提供することができる。
【００２３】
【発明の実施の形態】
本発明の請求項１に記載の発明は、ディスクに記録した映像データの番地が記録される複数の管理トラックの中から最後に記録した映像データの最終記録番地を検索して次に記録する映像データの番地を特定し、この特定した番地に映像データを記録するディスク装置において、前記複数の管理トラックを所定数の管理トラックごとに分割したグループとして認識し、映像データの番地の記録指示を受けるとグループ内の管理トラックの上書き回数が設定回数に達するまでは同一グループに番地を記録し、最終記録番地の検索指示を受けると記録途中のグループを割り出しこのグループから前記最終記録番地を検索する最終番地制御回路を設けたディスク装置としたものであり、従来のように全管理トラックを読み出すことなく最終記録番地を検索することができるので、立ち上がり時間の短縮化を実現させたディスク装置を提供することができる。
【００２４】
本発明の請求項２に記載の発明は、最終番地制御回路を、ｍ本の管理トラックをｈ本の管理トラックごとに分割したｉ（ｉ＝ｍ／ｈ）個のグループとして認識し、映像データの番地の記録指示を受けると、グループ内のｈ本全ての管理トラックの記録回数が設定回数ｋに達するまでは同一グループに番地を記録しこの設定回数ｋに達すると次のグループに番地を記録し、最終記録番地の検索指示を受けると、特定のグループの管理トラックを読み出し、番地が記録されているときには次のグループの管理トラックを読み出し、番地が記録されていないときには前のグループの管理トラックを読み出すようにして最終記録番地を含むグループを割り出し、この割り出したグループから最終記録番地を検索するよう構成した請求項１記載のディスク装置としたものであり、従来のように全管理トラックを読み出すことなく最終記録番地を検索することができるので、立ち上がり時間の短縮化を実現させたディスク装置を提供することができる。
【００２６】
以下、本発明のディスク装置を具体的な実施の形態に基づいて説明する。
（実施の形態１）
本実施の形態１のディスク装置は、図１，図２に示すように、複数の管理トラックを所定数の管理トラックごとに分割したグループとして認識し、映像データの番地の記録指示を受けるとグループ内の管理トラックの上書き回数が設定回数に達するまでは同一グループに番地を記録し、最終記録番地の検索指示を受けると記録途中のグループを割り出しこのグループから前記最終記録番地を検索する最終番地制御回路１２を設けたものである。
【００２７】
この最終番地制御回路１２は、図２に示すように、ｍ本（例えば、１５本）の管理トラックをｈ本（例えば、５本）の管理トラックごとに分割したｉ（ｉ＝ｍ／ｈ＝３）個のグループとして認識し、映像データの番地の記録指示を受けると、グループ内の５本全ての管理トラックの記録回数が設定回数ｋ（例えば、ｋ＝４０００）に達するまでは同一グループに番地を記録しこの設定回数ｋに達すると次のグループに番地を記録し、最終記録番地の検索指示を受けると、特定のグループの管理トラックを読み出し、番地が記録されているときには次のグループの管理トラックを読み出し、番地が記録されていないときには前のグループの管理トラックを読み出すようにして最終記録番地を含むグループを割り出し、この割り出したグループから最終記録番地を検索するようにマイクロコンピュータで構成されている。
【００２８】
なお、最終番地制御回路１２を除いては従来のディスク装置と同様であるので、ここでは最終番地制御回路１２以外についての具体的な説明を省略する。
ここで、このディスク装置で映像データを記録する動作を具体的に説明する。なお、このディスク装置に使用するディスク１としての相変化光ディスクには、重ね書きせずに６万枚の映像データとしての静止画が記録可能である。
【００２９】
このディスク１には、例えば、従来と同様に管理トラック領域に１５本の管理トラックを割り当てているが、最終番地制御回路１２は、図２に示すように、１５本の管理トラックを５本の管理トラックごとにグループ分けした第１のグループから第３のグループとして認識している。
【００３０】
映像記録時には、映像データとしての１枚の静止画を図８に示す映像トラック領域２１の第１のトラックから第ｎのトラックまで順に記録するとともに、この映像データの記録した番地を、グループ内の５本全ての管理トラックの記録回数が設定回数ｋ（例えば、ｋ＝４０００）に達するまでは同一グループに記録しこの設定回数ｋに達すると次のグループに記録するよう最終番地制御回路１２は記録再生回路５に指示する。なお、この映像データには、静止画としてのデジタルビデオ信号と、この静止画に関する映像情報とが含まれている。
【００３１】
１枚目からｈ（ｈ＝５）枚目までの記録した映像データの番地は、管理トラック領域２２の第１のグループの第１の管理トラックから第５の管理トラックに１トラックシフトしながら順次記録する。次のｈ＋１枚目からは再度第１のグループの第１の管理トラックから順次重ね書きする。このように、映像データのｈ×ｋ枚目（＝５×４０００枚目）の番地を記録するまで第１のグループの第１の管理トラックから第５の管理トラックまでを使用し、設定回数ｋ（ｋ≦ｊ；ｊはディスク１の記録許容回数）回の重ね書きを行う。次に、映像データの（ｈ×ｋ＋１）枚目からは、第２のグループを用いて前述と同様に番地を記録する。映像データの｛（ｈ×ｋ）×２＋１｝枚目からは、第３のグループを用いて前述と同様に番地を記録する。このようにして、ｈ×ｋ×ｉ枚目（＝５×４０００×３枚目）までの映像データの番地をグループ分けした１５本の管理トラックに記録する。
【００３２】
例えば、１枚目の映像データを記録するよう記録指示を受けて映像トラック領域２１のアドレス番号「１」のトラックにこの１枚目の映像データを記録すると、この１枚目の映像データを記録したアドレス番号「１」を第１のグループの第１の管理トラックにアドレス番号「１」と記録する。２枚目の映像データを記録するよう記録指示を受けて映像トラック領域２１のアドレス番号「２」のトラックに２枚目の映像データを記録すると、第１のグループ内の５本全ての管理トラックの記録回数が設定回数ｋ（ｋ＝４０００）に達していないので、２枚目の映像データを記録したアドレス番号「２」を第１のグループの第２の管理トラックに記録する。
【００３３】
例えば、２０００１枚目の映像データを記録するよう記録指示を受けて映像トラック領域２１のアドレス番号「２０００１」のトラックに２０００１枚目の映像データを記録すると、第１のグループ内の５本全ての管理トラックの記録回数が設定回数ｋ（例えば、ｋ＝４０００）に達しているので、この２０００１枚目の映像データを記録したアドレス番号「２０００１」を次の第２のグループの第１の管理トラックに記録する。
【００３４】
例えば、本ディスク装置にディスク１が挿入されたり、ディスク１を挿入した状態で本ディスク装置の電源を投入すると、最終番地制御回路１２は、最終記録番地の検索指示を受けて、図２に示すように、特定のグループとしての第２のグループの第１の管理トラックを読み出しこの第２のグループの第１の管理トラックに番地が記録されているときには、次の第３のグループの第１の管理トラックを読み出しこの第２のグループの第１の管理トラックに番地が記録されていないときには前のグループとしての第１のグループの第１の管理トラックを読み出すようにして最終記録番地を含むグループを割り出し、この割り出したグループの第１の管理トラックから第５の管理トラックをトラック順に読み出してこのグループの第１〜第５の管理トラックのうちで最大の番地（最後に記録した映像データの最終記録番地）を検索し、この最終記録番地の次の番地を次に映像データを記録する番地として特定する。
【００３５】
例えば、映像データが未だ記録されていない未記録のディスク１を挿入すると、第２のグループの第１の管理トラックを読み出しても番地を示すアドレス番号が記録されていないので前のグループとしての第１のグループの第１の管理トラックを読み出し、この第１のグループの第１の管理トラックを読み出しても番地を示すアドレス番号が記録されていないので、未記録な新ディスク１と認識し、映像トラック領域２１の最初の番地であるアドレス番号「１」に１枚目の映像データが記録可能であると認識する。なお、第２のグループの第１の管理トラックと第１のグループの第１の管理トラックとを順に読み出したので、このときの管理トラックの読み出し回数は２回である。
【００３６】
例えば、８枚目まで映像データが記録され第１のグループの第３の管理トラックに最終記録番地としてのアドレス番号「８」が記録されたディスクを挿入すると、第２のグループの第１の管理トラックを読み出しこの第２のグループの第１の管理トラックに番地が記録されていないので、前の第１のグループの第１の管理トラックを読み出しこの第１のグループの第１の管理トラックに番地（アドレス番号「６」）が記録されているので、最終記録番地を含むグループは第１のグループであると割り出し、この割り出した第１のグループの第１の管理トラックから第５の管理トラックをトラック順に読み出してこのグループの第１〜第５の管理トラックのうちで最大の番地を検索し、第１のグループの第３の管理トラックに最終記録番地であるアドレス番号「８」が記録されていることを認識し、この最終記録番地の次の番地であるアドレス番号「９」に９枚目の映像データが記録可能であると認識する。このときの管理トラックの読み出し回数は７回である。
【００３７】
例えば、２０００８枚目まで映像データが記録され第２のグループの第３の管理トラックに最終記録番地としてのアドレス番号「２０００８」が記録されたディスクを挿入すると、第２のグループの第１の管理トラックを読み出しこの第２のグループの第１の管理トラックに番地（アドレス番号「２０００６」）が記録されているので、次の第３のグループの第１の管理トラックを読み出しこの第３のグループの第１の管理トラックに番地が記録されていないので、最終記録番地を含むグループは第２のグループであると割り出し、この割り出した第２のグループの第１の管理トラックから第５の管理トラックをトラック順に読み出してこのグループの第１〜第５の管理トラックのうちで最大の番地を検索し、第２のグループの第３の管理トラックに最終記録番地であるアドレス番号「２０００８」が記録されていることを認識し、この最終記録番地の次の番地であるアドレス番号「２０００９」に２０００９枚目の映像データが記録可能であると認識する。このときの管理トラックの読み出し回数は７回である。
【００３８】
例えば、４０００８枚目まで映像データが記録され第３のグループの第３の管理トラックに最終記録番地としてのアドレス番号「４０００８」が記録されたディスクを挿入すると、第２のグループの第１の管理トラックを読み出しこの第２のグループの第１の管理トラックに番地（アドレス番号「３９９９６」）が記録されているので、次の第３のグループの第１の管理トラックを読み出しこの第３のグループの第１の管理トラックに番地（アドレス番号「４０００６」）が記録されているので、最終記録番地を含むグループは第３のグループであると割り出し、この割り出した第３のグループの第１の管理トラックから第５の管理トラックをトラック順に読み出してこのグループの第１〜第５の管理トラックのうちで最大の番地を検索し、第３のグループの第３の管理トラックに最終記録番地であるアドレス番号「４０００８」が記録されていることを認識し、この最終記録番地の次の番地であるアドレス番号「４０００９」に４０００９枚目の映像データが記録可能であると認識する。このときの管理トラックの読み出し回数は７回である。
【００３９】
このように構成したため、従来のように１５本全ての管理トラックを読み出すことなく最終記録番地を検索することができるため、記録しようとする映像データがディスク１のどのアドレスに記録可能であるかを短時間に検索して特定することができ、ディスク１を挿入してから記録可能状態に立ち上がるまでの立ち上げ時間を短縮することができ、本ディスク装置を従来に比べて短時間で立ち上げることができる。従って、ディスク１に記録した患者の映像データをディスク１の挿入直後から素早く再生することができ、また、診断した患者の映像データなど大切な記録の瞬間を逃すことがない。具体的には、最大で管理トラックに７回しかアクセスしないので、１管理トラック当りの認識時間１秒×７回＝７秒で最終記録番地を特定することができ、このディスク装置の立ち上がり時間を７秒に短縮することができる。
【００４０】
また、図３に示すように、管理トラックの本数を従来に比べて例えば２倍に増加させた場合であっても、従来に比べて立ち上げ時間を短くすることができるとともに、ディスク１の記録許容回数ｊに対するマージンを取ることができ、信頼性を向上させることができる。具体的に第１〜第３のグループのそれぞれの管理トラックの本数を２倍に増加させた場合（管理トラックの本数を３０本とし、第１〜第３のグループごとの管理トラックの本数を１０本とした場合）でも、最大で管理トラックに１２回しかアクセスしないので、１管理トラック当りの認識時間１秒×１２回＝１２秒で最終記録番地を特定することができ、従来の管理トラックの本数が１５本である場合の立ち上げ時間１５秒に対してこのディスク装置の立ち上がり時間を１２秒に短縮することができるとともに、管理トラックの本数を３０本と増加させていることで１管理トラック当りの記録回数を、例えば４０００回から２０００回というように半分にすることができディスク１の記録許容回数ｊに対するマージンをさらに取ることができ、信頼性を向上させることができる。
【００４１】
この実施の形態１では、具体的に管理トラックの本数をｍ＝１５本としグループごとの管理トラックの本数をｈ＝５本としグループ数をｉ＝３個としているが、それ以外の設定とした場合であっても、同様の効果を有する。
【００４２】
（実施の形態２）
本実施の形態２のディスク装置は、図４，図５に示すように、映像トラック領域と管理トラック領域とを一組とした領域２３をディスク１の内周から外周にかけて複数形成するように、前記映像トラック領域に記録した映像データの番地を隣接する管理トラック領域に記録することを記録再生回路５に指示する記録領域制御回路１３を前述の実施の形態１のディスク装置に設けたものである。この記録領域制御回路１３は、例えば、前述のように動作するようマイクロコンピュータで構成されている。
【００４３】
なお、記録領域制御回路１３を除いては前述の実施の形態１のディスク装置と同様であるので、ここでは記録領域制御回路１３以外についての具体的な説明を省略する。
【００４４】
ここで、このディスク装置で映像データを記録する動作を具体的に説明する。なお、図５に示すように、第１の映像トラック領域には映像データを記録する最初のトラックである第１のトラックを有している。
【００４５】
例えば、第２の映像トラック領域の特定のトラックに映像データが記録可能なディスクが本ディスク装置に挿入されていて映像データを記録する記録指示を受けると、記録領域制御回路１３は、第２の映像トラック領域の前記のトラックに映像データを記録するとともに、この映像データの番地を第２の映像トラック領域と隣接する第２の管理トラック領域の管理トラックに記録するよう記録再生回路５に指示する。サーボ回路４は、第２の映像トラック領域の前記のトラックにヘッド３を移動させてこのヘッド３によって映像データを前記のトラックに記録すると、今度は第２の管理トラック領域の管理トラックにヘッド３を移動させて、記録した映像データの番地をヘッド３によって第２の管理トラック領域の管理トラックに記録する。
【００４６】
このように構成したため、映像データとその番地の記録時にヘッド３を映像トラック領域からこれと隣接する管理トラック領域に移動させるだけで良いので、従来のように記録時にヘッド３を最大でディスク１の内周端から外周端まで移動させることを不必要とすることができ、ヘッド３の移動距離を非常に短くかつほぼ等距離とすることができ、シーク時間を短くすることができ、連続記録の記録時間間隔を短くすることができるので、動画記録することができる。
【００４７】
また、サーボが安定し確実に記録再生できるディスク１の内周端から外周端の中央にも管理トラックを配置しているので、管理トラックの記録再生時の読み取りエラーの発生頻度を低減することができ、信頼性の高いディスク装置を得ることができる。
【００４８】
前述の各実施の形態では、ディスク１を相変化光ディスクとしているが、追記型光ディスクや光磁気ディスクなどその他のディスクとした場合であっても、同様の効果を有する。
【００４９】
【発明の効果】
以上のように本発明のディスク装置によれば、複数の管理トラックを所定数の管理トラックごとに分割したグループとして認識し、映像データの番地の記録指示を受けるとグループ内の管理トラックの上書き回数が設定回数に達するまでは同一グループに番地を記録し、最終記録番地の検索指示を受けると記録途中のグループを割り出しこのグループから前記最終記録番地を検索する最終番地制御回路を設けたことにより、従来のように全管理トラックを読み出すことなく最終記録番地を検索することができるので、記録しようとする映像データがディスク上のどのアドレスに記録可能であるかを短時間に検索して特定することができ、ディスクを挿入してから記録可能状態に立ち上がるまでの立ち上げ時間を短縮することができ、本ディスク装置を従来に比べて短時間で立ち上げることができる。従って、ディスクに記録した患者の映像データをディスク挿入直後から素早く再生することができ、また、診断した患者の映像データなど大切な記録の瞬間を逃すことがない。
【００５０】
さらに、管理トラックの本数を、例えば、従来に比べて２倍程度に増加させた場合であっても、従来に比べて立ち上げ時間を短くすることができるとともに、ディスク記録許容回数に対するマージンを取ることができ、信頼性を向上させることができる。
【図面の簡単な説明】
【図１】本発明の実施の形態１のディスク装置の構成を示すブロック図
【図２】同実施の形態１の管理トラックを示す説明図
【図３】本発明の実施の形態１とは別の管理トラック数を示す説明図
【図４】本発明の実施の形態２のディスク装置の構成を示すブロック図
【図５】同実施の形態２のディスクの概略外観図
【図６】従来のディスク装置の構成を示すブロック図
【図７】従来のディスクの種類を示す概略外観図
【図８】従来のディスクを示す概略外観図
【図９】従来の管理トラックを示す説明図
【符号の説明】
１  ディスク
５  記録再生回路
１２  最終番地制御回路
１３  記録領域制御回路
【図１】
0003659823.tif 000002
【図２】
0003659823.tif 000003
【図３】
0003659823.tif 000004
【図４】
0003659823.tif 000005
【図５】
0003659823.tif 000006
【図６】
0003659823.tif 000007
【図７】
0003659823.tif 000008
【図８】
0003659823.tif 000009
【図９】
0003659823.tif 000010